(57)【特許請求の範囲】
【請求項１】
ホームネットワークと訪問ネットワークを有する無線システムにおけるホーム・ロケーション・レジスタ(ＨＬＲ)の故障を復旧させる方法において前記ホームネットワークは前記ホーム・ロケーション・レジスタ(ＨＬＲ)を有し、前記訪問ネットワークは少なくとも１つのビジター・ロケーション・レジスタ(ＶＬＲ)を有し、前記訪問ネットワークは前記少なくとも１つのＶＬＲと前記ＨＬＲが通信するためのゲートウェイ・ロケーション・レジスタ(ＧＬＲ)を有する前記方法において、
前記ＧＬＲにより、ＨＬＲからの第１リセット・メッセージを受信するステップであって、前記第１リセット・メッセージは、前記ＨＬＲに対するホーム・ロケーション・レジスタ番号を含む前記受信ステップと、
前記ＧＬＲにより、前記訪問ネットワークにより現にサービスされているどの移動加入者が前記ＨＬＲに関連するか判断するステップと、
前記ＧＬＲから、前記ＨＬＲに関連する移動加入者に現にサービスする複数のＶＬＲへ第２リセット・メッセージを送出するステップと、
前記ＧＬＲにより、前記ＨＬＲに関連する前記移動加入者に対する前記複数のＶＬＲからロケーション更新メッセージを受信するステップと、
前記ＨＬＲに関連する前記移動加入者に対する前記ロケーション更新メッセージを前記ＧＬＲから前記ＨＬＲへ送出するステップを備えた方法。
【請求項２】
前記第１及び第２リセット・メッセージは、ＭＡＰ  ＲＥＳＥＴメッセージである請求項１記載の方法。
【請求項３】
前記第１リセット・メッセージ及び前記第２リセット・メッセージは、ホーム・ロケーション・レジスタ認識リストを含む請求項１記載の方法。
【請求項４】
前記第２リセット・メッセージは、ゲートウェイ・ロケーション・レジスタ番号を含み、更に、
各ＶＬＲにより、前記ゲートウェイ・ロケーション・レジスタ番号、又は前記ホーム・ロケーション・レジスタを使用して前記ＨＬＲに関連する前記移動加入者を認識するステップを備えた請求項３記載の方法。
【請求項５】
請求項１記載の方法において、
前記ＧＬＲにより前記どの移動加入者が前記ＨＬＲに関連するか判断する前記ステップにおいて、各移動加入者に関連するレコードに記憶した移動加入者認識の地域コード及び宛先国コードと、前記ホーム・ロケーション・レジスタ番号の地域コード及び宛先国コードとを比較する前記方法。
【請求項６】
更に、
前記複数のＶＬＲの１つにより、前記第２リセット・メッセージを受信するステップと、
受信した前記複数のＶＬＲの前記１つによって、前記第２リセット・メッセージにホーム・ロケーション・レジスタ認識リストが存在するか否かを判断するステップと
を備えている請求項１記載の方法。
【請求項７】
前記移動加入者の認識は、国際的な移動加入者の認識である請求項５記載の方法。
【請求項８】
前記ロケーション更新メッセージは、ＭＡＰ  ＵＰＤＡＴＥ  ＬＯＣＡＴＩＯＮメッセージである請求項１記載の方法。
【請求項９】
請求項１記載の方法において、
前記ＧＬＲにより前記どの移動加入者が前記ＨＬＲに関連するか判断する前記ステップにおいて、前記第１リセット・メッセージに受信した前記ホーム・ロケーション・レジスタ番号と、前記ＧＬＲにおける移動加入者レコードに記憶されたホーム・ロケーション・レジスタ番号とを比較する前記方法。
【請求項１０】
請求項３記載の方法において、前記ロケーション更新メッセージを前記ＧＬＲから前記ＨＬＲへ送出する前記ステップの後で行われる下記の、
前記ＶＬＲにより前記ホーム・ロケーション・レジスタ認識リストを使用して前記ＨＬＲに関連する移動加入者を認識するステップと、
前記ＶＬＲ内において、前記ＨＬＲに関連する各移動加入者に対し、前記ＨＬＲにおける位置情報確認済みフラグを未確認状態にセットするステップと
を実行する前記方法。
【請求項１１】
請求項３記載の方法において、前記ＧＬＲから前記ＶＬＲへ前記第２リセット・メッセージを送出する前記ステップの後で行われる下記の、
前記ＶＬＲにより前記ホーム・ロケーション・レジスタ認識リストが所定のパターンを含むか否かを判断するステップと、
前記ＶＬＲ内において、前記ホーム・ロケーション・レジスタ認識リストが所定のパターンを含むときは、他のネットワークから全ての訪問移動加入者に対してＨＬＲにおける位置情報確認済みフラグを未確認状態にセットするステップと
を実行し、
前記ホーム・ロケーション・レジスタ認識リストが所定のパターンを含まないときは、
前記ＶＬＲにより前記ホーム・ロケーション・レジスタ認識リストを使用してどの移動加入者が前記ＨＬＲに関連するかを導き出すステップと、
前記ＶＬＲ内において、前記ＨＬＲに関連する各移動加入者に対し、ＨＬＲにおける位置情報確認済みフラグを未確認状態にセットするステップと
を実行する前記方法。
【請求項１２】
請求項１記載の方法において、
前記第２リセット・メッセージは、ホーム・ロケーション・レジスタ番号パラメータを含み、前記ＧＬＲから前記ＶＬＲへ前記第２リセット・メッセージを送出する前記ステップの後で行われる下記の、
前記ＶＬＲにより前記第２リセット・メッセージの前記ホーム・ロケーション・レジスタ番号パラメータにおける受信した番号が前記ＧＬＲの番号と一致するか否かを判断するステップと、
前記ホーム・ロケーション・レジスタ番号パラメータにおける受信した番号が前記ゲートウェイ・ロケーション・レジスタの番号と一致するときは、前記ＶＬＲにより他のネットワークから全ての訪問移動加入者に対し、前記ＨＬＲにおける位置情報確認済みフラグを未確認状態にセットするステップと
を実行する前記方法。
【請求項１３】
前記ホーム・ロケーション・レジスタ番号パラメータにおける受信した番号が前記ＧＬＲの番号と一致しないときは、
前記ＶＬＲに記憶した移動加入者認識から得た地域コード及び宛先国コードと、前記受信したホーム・ロケーション・レジスタ番号パラメータの宛先国コードとの一致により、どの移動加入者が前記ＨＬＲに関連するかを導き出すステップと、
前記ＨＬＲに関連する各移動加入者に対し、前記ＨＬＲにおける位置情報確認済みフラグを未確認状態にセットするステップと
を実行する請求項１２記載の前記方法。
【請求項１４】
更に、前記ＧＬＲから前記ＶＬＲへ前記第２リセット・メッセージを送出する前記ステップの後で行われる下記の、
前記ＶＬＲにより前記ＶＬＲに記憶した移動加入者認識から導き出した地域コード及び宛先国コードと、前記受信したホーム・ロケーション・レジスタ番号パラメータの地域コード及び宛先国コードとの一致により、どの移動加入者が前記ＨＬＲに関連するかを導き出すステップと、
前記ＨＬＲに関連する各移動加入者に対し、前記ＨＬＲにおける位置情報確認済みフラグを未確認状態にセットするステップと
を実行する請求項１記載の前記方法。
【請求項１５】
前記第２リセット・メッセージはホーム・ロケーション・レジスタ番号パラメータを含み、更に、前記ＧＬＲから前記ＶＬＲへ前記第２リセット・メッセージを送出する前記ステップの後で行われる下記の、
前記ＶＬＲにより、各移動加入者に対し、前記受信したホーム・ロケーション・レジスタ番号パラメータと、前記ＶＬＲに記憶したホーム・ロケーション・レジスタ番号との一致により、前記移動加入者を導き出すステップと、
一致があったか否かを判断するステップと、
一致がなかったときは、前記ＶＬＲに記憶した移動加入者認識から導き出した地域コード及び宛先国コードと、前記受信したホーム・ロケーション・レジスタ番号パラメータの地域コード及び宛先国コードとの一致により、移動加入者を導き出すステップと、
各移動加入者に対し、前記ＨＬＲにおける位置情報確認済みフラグを未確認状態にセットするステップと
を実行する請求項１記載の前記方法。
【請求項１６】
ホームネットワークと訪問ネットワークを有し、前記ホームネットワーク内のホーム・ロケーション・レジスタ(ＨＬＲ)のため故障復旧を行う無線通信システムにおける故障復旧システムであって、
前記ＨＬＲ内のメッセージ手段であって、故障の修復中に第１リセット・メッセージを前記訪問ネットワーク内のゲートウェイ・ロケーション・レジスタ(ＧＬＲ)へ送出する前記メッセージ手段であって、前記第１リセット・メッセージは、前記ＨＬＲに対するホーム・ロケーション・レジスタ番号を含む前記メッセージ手段と、
前記ＧＬＲにより、前記訪問ネットワークにより現にサービスされているどの移動加入者が前記ＨＬＲに関連するか判断する判断手段と、
前記ＧＬＲ内にあって、前記ＧＬＲから前記ＨＬＲに関連する移動加入者に現にサービスする少なくとも１つのビジター・ロケーション・レジスタ(ＶＬＲ)へ第２リセット・メッセージを送出し、前記ＨＬＲに関連する前記移動加入者に対する前記複数のＶＬＲの各ＶＬＲからロケーション更新メッセージを受信するメッセージ手段と、
各ＶＬＲ内にあって、各ＶＬＲにおいて前記ＧＬＲから受信した前記第２リセット・メッセージに応答して、前記ＨＬＲに関連する前記移動加入者の位置更新を行う位置更新手段と、
前記ＨＬＲに関連する前記移動加入者に対する前記ロケーション更新メッセージを前記ＶＬＲから前記ＧＬＲへ送出するＶＬＲ内送出手段とを備えた故障復旧システム。
【請求項１７】
前記第１リセット・メッセージ及び前記第２リセット・メッセージは、ＭＡＰ  ＲＥＳＥＴメッセージである請求項１６記載の故障復旧システム。
【請求項１８】
前記第１リセット・メッセージ及び前記第２リセット・メッセージは、ホーム・ロケーション・レジスタ認識リストを含む請求項１６記載の故障復旧システム。
【請求項１９】
前記ＶＬＲは、前記ＧＬＲから受信した前記第２リセット・メッセージ内のゲートウェイ・ロケーション・レジスタ番号又はホーム・ロケーション・レジスタ認識リストを使用して、前記ＨＬＲに関連する移動加入者を認識する請求項１８記載の故障復旧システム。
【請求項２０】
請求項１６記載の故障復旧システムにおいて、
前記移動加入者に関連するレコードに記憶された移動加入者認識の地域コード及び宛先国コードと、前記ホーム・ロケーション・レジスタ番号の地域コード及び宛先国コードとを比較することにより、前記ＨＬＲに関連する移動加入者を判断する手段、
を各ＶＬＲ内に備えた故障復旧システム。
【請求項２１】
ホームネットワークを有する無線システムに含まれる訪問ネットワーク内に位置するゲートウェイ・ロケーション・レジスタ(ＧＬＲ)であって、前記ホームネットワーク内に位置するホーム・ロケーション・レジスタ(ＨＬＲ)の故障を復旧させるＧＬＲであって、
前記ＧＬＲは、
前記ＨＬＲと通信し、前記訪問ネットワーク内に位置する少なくとも１つのビジター・ロケーション・レジスタ(ＶＬＲ)と通信するメッセージ手段を有し、
前記メッセージ手段は、
ＨＬＲの故障復旧の間に前記ＨＬＲからの第１リセット・メッセージを受信するステップであって、前記第１リセット・メッセージは、前記ＨＬＲに対するホーム・ロケーション・レジスタ番号を含む前記受信ステップと、
前記ＶＬＲにより現にサービスされている前記ＨＬＲに関連する移動加入者の認識を各ＶＬＲに導かせるための情報を含む第２リセット・メッセージを、前記ＧＬＲから、前記ＨＬＲに関連する少なくとも１つの移動加入者に現にサービスする各ＶＬＲへ送出するステップと、
前記ＨＬＲに関連する前記移動加入者に対する前記複数のＶＬＲのそれぞれからロケーション更新メッセージを受信するステップと、
前記ＨＬＲに関連する前記移動加入者に対する前記ロケーション更新メッセージを前記ＨＬＲへ送出するステップとを実行し、
前記ＧＬＲは更に、
前記ＨＬＲからの受信した前記第１リセット・メッセージに応じ、前記訪問ネットワーク内のどの移動加入者が前記ＨＬＲに関連するか、及び、どのＶＬＲが前記ＨＬＲに関連する移動加入者を現にサービスしているかを前記ＧＬＲにより判断する手段を有する前記ＧＬＲ。
【請求項２２】
ホームネットワークを有する無線システムに含まれる訪問ネットワーク内に位置するビジター・ロケーション・レジスタ(ＶＬＲ)であって、前記ホームネットワーク内に位置するホーム・ロケーション・レジスタ(ＨＬＲ)の故障を復旧させる前記ＶＬＲにおいて、
前記ＶＬＲは、
前記訪問ネットワーク内に位置するゲートウェイ・ロケーション・レジスタ(ＧＬＲ)と通信するメッセージ手段を有し、前記ＨＬＲと前記ＶＬＲは前記ＧＬＲを介して通信する前記メッセージ手段を有し、
前記メッセージ手段は、
ＨＬＲの故障復旧の間に前記ＧＬＲからリセット・メッセージを受信するステップと、
前記ＶＬＲにより現にサービスされている前記ＨＬＲに関連する移動加入者のための位置更新メッセージを、前記ＧＬＲへ送出するステップと、
を実行し、
前記ＶＬＲは更に、
前記ＶＬＲにより現にサービスされている前記ＨＬＲに関連する移動加入者の認識を前記リセット・メッセージから導き出す手段と、
前記ＶＬＲにより現にサービスされている前記ＨＬＲに関連する移動加入者のための前記位置情報を更新する手段と、
を有し、前記更新する手段は、前記更新した位置情報を前記メッセージ手段に送信する前記ＶＬＲ。
【請求項２３】
請求項２２記載のＶＬＲであって、
前記ＧＬＲから受信した前記リセット・メッセージが前記ＧＬＲのためのリセット・メッセージか、前記ＨＬＲのためのリセット・メッセージかを判断する手段を有する前記ＶＬＲ。
【請求項２４】
請求項２３記載のＶＬＲであって、
前記ＧＬＲから受信した前記リセット・メッセージが前記ＧＬＲのためのリセット・メッセージであるとの判断に応じ、前記更新手段は、他のネットワークから訪問する全ての移動加入者のための前記位置情報を更新する前記ＶＬＲ。
【請求項２５】
請求項２４記載のＶＬＲであって、
前記ＧＬＲから受信した前記リセット・メッセージが前記ＨＬＲのためのリセット・メッセージであるとの判断に応じ、前記導き出す手段は前記ＨＬＲに関連する移動加入者の認識を導き出し、前記更新手段は、前記ＨＬＲに関連する前記移動加入者だけのための前記位置情報を更新する前記ＶＬＲ。
【発明の詳細な説明】
【０００１】
（背景）
本発明は、移動通信システムに関し、特にゲートウェイ・ロケーション・レジスタがビジター・ロケーション・レジスタにサービスをしているシステムにおける故障からホーム・ロケーション・レジスタを復旧させることに関する。
【０００２】
図１は、全地球移動通信システム（Ｇｌｏｂａｌ  Ｓｙｓｔｅｍ  ｆｏｒ  Ｍｏｂｉｌｅ  ｃｏｍｍｕｎｉｃａｔｉｏｎ:ＧＳＭ）標準による無線通信システムを示す。ＧＳＭ標準は、均一のインターフェースを提供して種々の国の移動通信加入者が、その現在位置と無関係に、それらの移動装置を動作できるように設計される。移動加入者は、典型的には、移動加入者のホーム陸上移動ネットワーク（ｈｏｍｅ  ｐｕｂｌｉｃ  ｌａｎｄ  ｍｏｂｉｌｅ  ｎｅｔｗｏｒｋ：ＨＰＬＭＮ）１１０と示されるネットワークにより加入している。ＨＰＬＭＮ１１０は、ホーム・ロケーション・レジスタ（ｈｏｍｅ  ｌｏｃａｔｉｏｎ  ｒｅｇｉｓｔｅｒ：ＨＬＲ）１１５を有し、これには、なかんずく、移動加入者に提供されるサービスに関する種々の情報が収容される。移動加入者が訪問公衆陸上移動ネットワーク（ｖｉｓｉｔｅｄ  ｐｕｂｌｉｃ  ｌａｎｄ  ｍｏｂｉｌｅ  ｎｅｔｗｏｒｋ：ＶＰＬＭＮ）１２０と呼ばれる異なるネットワークにローミングするときは、ＶＰＬＭＮは、移動加入者の加入に関して一定のデータが必要となる。移動加入者の加入に関するデータは、移動加入者プロファイルとして知られている。移動加入者プロファイルは、ホーム・ロケーション・レジスタからＶＰＬＭＮ１２０内のビジター・ロケーション・レジスタ（ｖｉｓｉｔｏｒ  ｌｏｃａｔｉｏｎ  ｒｅｇｉｓｔｅｒ：ＶＬＲ）に転送される。
【０００３】
ＧＳＭシステムでは、ＶＬＲとＨＬＲとの間のネットワーク間信号を減少させるために、移動加入者に現在サービスをしている移動サービス交換局（ｍｏｂｉｌｅ  ｓｗｉｔｃｈｉｎｇ  ｃｅｎｔｅｒ:ＭＳＣ）と関連するＶＬＲに移動加入者のデータを記憶している。ＧＳＭシステム内に複数のＶＬＲを分散化する（即ち、各ＭＳＣがＶＬＲを装備する）と、ネットワーク間信号も同様に減少する。従って、例えば移動加入者がＭＳＣ／ＶＬＲ１３０により制御されているＶＰＬＭＮ１２０の領域をローミングしているときは、ＨＬＲ１１５がＭＳＣ／ＶＬＲ１３０へ移動加入者プロファイルを転送する。同様に、移動加入者がＭＳＣ／ＶＬＲ１３５により制御された領域内をローミングすると、ＨＬＲ１１５がＭＳＣ／ＶＬＲ１３５へ移動加入者プロファイルを転送する。図１はＭＳＣ／ＶＬＲを単一ネットワーク・ノードとして示しているが、当該技術分野に習熟する者は、ＭＳＣ及びＶＬＲを別個的な複数のネットワーク構成要素として実施可能なことを認識すべきである。
【０００４】
ＧＳＭと他形式のシステムとの両立性を増大するために、将来のＧＳＭ標準バージョンは、更に汎用移動電気通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ：ＵＭＴＳ）とも呼ばれ、他の移動通信システムの構成要素に組み込まれることなる。例えば、日本のパーソナル・ディジタル・セルラ（Ｐｅｒｓｏｎａｌ  Ｄｉｇｉｔａｌ  Ｃｅｌｌｕｌａｒ：ＰＤＣ）システムは、ゲートウェイ・ロケーション・レジスタ（ｇａｔｅｗａｙ  ｌｏｃａｔｉｏｎ  ｒｅｇｉｓｔｅｒ：ＧＬＲ）として知られたネットワーク間信号を減少させるために使用されるネットワーク・ノードを含む。図２は、ＰＤＣシステムによる例示的な移動通信システムを示す。ＧＳＭシステムのように、ホーム・ネットワーク２１０は、移動加入者プロファイルを収容しているＨＬＲ２１５を含む。移動加入者が訪問ネットワーク２２０にローミングすると、移動加入者プロファイルがＧＬＲ２２５に転送される。ＧＳＭの用語では、他ネットワークからローミングする全ての移動加入者に対するＶＬＲとして、ＧＬＲを説明することができる。従って、各ネットワークには１ＧＬＲのみ必要である。
【０００５】
図３は、ＰＤＣシステムのＧＬＲに関連する例示的なＵＭＴＳシステムを示す。ＨＰＬＭＮ３１０の移動加入者がＶＰＬＭＮ３２０にローミングすると、ＨＬＲ３１５は、移動加入者プロファイルをＧＬＲ３２５へ転送する。次いで、移動加入者がＶＰＬＭＮ３２０内のどの領域をローミングしているかに従って、ＧＬＲ３２５は、移動加入者プロファイルをそれぞれのＭＳＣ／ＶＬＲ３３０、３３５又は３４０へ転送する。一旦移動加入者がＶＰＬＭＮ３２０にローミングすると、ＨＬＲは移動加入者プロファイルをＧＬＲ３２５へ転送することが必要となるだけなので、ＧＬＲ３２５をＧＳＭシステムに導入は、ネットワーク間信号を減少させる。移動加入者はＶＰＬＭＮ３２０の周辺を移動するので、ＧＬＲ３２５は、移動加入者プロファイルをＶＰＬＭＮ３２０内の適正なＭＳＣ／ＶＬＲへ転送する責任がある。
【０００６】
ＶＬＲとＨＬＲとの間でデータを転送するためにＧＳＭ／ＵＭＴＳシステムが使用するプロトコルは、モバイル・アプリケーション部（ｍｏｂｉｌｅ  ａｐｐｌｉｃａｔｉｏｎ  ｐａｒｔ：ＭＡＰ）である。図４は、ＨＬＲが故障の復旧処理をしているときに、ＧＳＭシステムにおけるＭＡＰプロトコルを使用する通常の方法を示す。ステップ４０５において、ＨＬＲは、不揮発性メモリの内容をそのダイナミック・メモリへロードする。次に、ステップ４１０により、バックアップ・メモリ内の情報により示されるように、ＨＬＲがＭＡＰ  ＲＥＳＥＴメッセージを、ＨＬＲの移動加入者が現在関連されているＶＬＲへ送出する。ＭＡＰ  ＲＥＳＥＴ要求メッセージは、ＨＬＲのＥ．１６４番号、任意選択的にはＨＬＲ認識（Ｉｄ）リストであるＨＬＲ番号を含む。ＨＬＲＩｄリストは、関連ＨＬＲに属するＩＭＳＩの先頭ディジタルの可能組み合わせのリストであり、地域コード（ＣＣ）、ネットワーク・コード、及び宛先国コード（ＮＤＣ）の先頭ディジタルを含む。ステップ４１５において、ＶＬＲは、ＶＬＲによって現在サービスされているどの移動加入者が、ＭＡＰ  ＲＥＳＥＴメッセージを送出したＨＬＲに関連されているのかを判断する。通常のＧＳＭシステムにおいて、ＶＬＲがどの移動加入者が特定のＨＬＲに関連されているのかを判断するのに異なる２方法が存在する。ＭＡＰ  ＲＥＳＥＴメッセージにＨＬＲＩｄリスト・パラメータが存在するときは、影響を受ける複数の移動加入者を認識する可能性があって、これらの移動局は、これらのＩＭＳＩの先頭デジットがＨＬＲＩｄリスト・パラメータにおけるＨＬＲ認識のうちのいずれかのデジットと一致する。ＨＬＲＩｄリスト・パラメータがＭＡＰ  ＲＥＳＥＴメッセージに存在しないときは、ＭＡＰ  ＲＥＳＥＴメッセージにおけるＨＬＲ番号を使用して影響を受ける複数の移動加入者が導き出される。即ち、これら影響を受ける移動加入者は、ＶＬＲにおける移動加入者レコードに記憶されたＨＬＲ番号がＭＡＰ  ＲＥＳＥＴメッセージにおいて受信したＨＬＲ番号と一致したものである。
【０００７】
ステップ４２０において、ＶＬＲは、影響を受ける全移動加入者に対して「ＨＬＲにおける位置情報確認済み」フラグを「未確認」にセットする。このフラグがセットされると、影響を受ける各移動加入者との次の認証無線コンタクト時に、ＶＬＲがＭＡＰ  ＵＰＤＡＴＥ  ＬＯＣＡＴＩＯＮメッセージを強制実行してＨＬＲを更新させる。ステップ４２５において、ＶＬＲは、関係する移動加入者からの認証無線コンタクトを待機する。ステップ４３０において、ＶＬＲは、関係する移動加入者からの認証無線コンタクトを受信したか否かを判断する。ＶＬＲが関係する移動加入者から認証無線コンタクトを受信しなかったときは、判断ステップ４３０から「ノー」のパスに従い、ステップ４２５により、ＶＬＲは待機し続ける。ＶＬＲが関係する移動加入者から認証無線コンタクトを受信すると、判断ステップ４３５により、ＶＬＲは、ＭＡＰ  ＵＰＤＡＴＥ  ＬＯＣＡＴＩＯＮメッセージをＨＬＲへ送出して、ＶＬＲが関係する移動加入者にサービスをしていることを示す。ＶＬＲからＨＬＲへ送出した位置更新は、再起動したＨＬＲの移動加入者データを漸次復元して確認をする。
【０００８】
ＧＬＲはＵＭＴＳシステム内の任意選択的な構成要素なので、ＭＡＰ手順は、ネットワークにおけるＧＬＲの存在の有無から完全に独立している必要がある。従って、ＶＬＲに対するＨＬＲインターフェース、及びＨＬＲに対するＶＬＲインターフェースを使用することにより、ＧＬＲは完全にトランスペアレントである必要がある。しかしながら、ネットワークにおけるＧＬＲの二重性のために、ＨＬＲによるＶＬＲの動作として、またＶＬＲによるＨＬＲ動作として同時に認識される方法により、ＧＬＲが動作することは困難と思われる。このような１例は、ＨＬＲの偽りの復旧動作となる。
【０００９】
通常のＧＳＭ  ＵＭＴＳシステムにおいて、ＧＬＲがＶＬＲを含むＶＰＬＭＮに付加されたときは、ＨＬＲがＭＡＰ  ＲＥＳＥＴメッセージをＶＬＲに代わって、ＧＬＲへ送出する。しかしながら、ＧＳＭ  ＭＡＰプロトコルは、ネットワークにおけるＧＬＲについて考慮していないので、ゲートウェイ・ロケーション・レジスタがビジター・ロケーション・レジスタにサービスをしている領域に、その影響を受ける移動加入者のうちのいくつかが配置されたときは、どのようにしてＨＬＲを故障から復旧させるべきかを定義する手順が存在しない。
【００１０】
従って、ゲートウェイ・ロケーション・レジスタ及びビジター・ロケーション・レジスタを含むＵＭＴＳシステムにおけるＨＬＲの故障を復旧させる方法及び装置が得られることが望ましい。更に、ＧＳＭ  ＭＡＰプロトコルに違反することなく、即ち特殊なメッセージ・シーケンスに違反することなく、特殊なメッセージフォーマットを使用して実行されることが望ましい。
【００１１】
（要約）
本発明の実施例によれば、ホーム・ロケーション・レジスタの故障を復旧させる方法及び装置が提供される。前記ホーム・ロケーション・レジスタからのリセット・メッセージをゲートウェイ・ロケーション・レジスタが受信する。このリセット・メッセージは、前記ホーム・ロケーション・レジスタ用のホーム・ロケーション・レジスタ番号を含む。前記ゲートウェイ・ロケーション・レジスタは、他のリセット・メッセージをビジター・ロケーション・レジスタへ送出する。前記他のリセット・メッセージは、前記ゲートウェイ・ロケーション・レジスタに対するゲートウェイ・ロケーション・レジスタ番号を含む。代替として、前記他のリセット・メッセージは、前記ホーム・ロケーション・レジスタ及び前記ホーム・ロケーション・レジスタ識別リストに対するホーム・ロケーション・レジスタ番号を含む。
【００１２】
本発明のこの特徴によれば、前記リセット・メッセージ及び前記他のリセット・メッセージは、ＭＡＰ  ＲＥＳＥＴメッセージであってもよい。加えて、前記ゲートウェイ・ロケーション・レジスタは、前記ホーム・ロケーション・レジスタに関連する移動加入者を判断することができ、また前記ゲートウェイ・ロケーション・レジスタは、前記ビジター・ロケーション・レジスタが前記移動加入者にサービスをしていることを判断する。更に、前記リセット・メッセージ及び前記他のリセット・メッセージは、ホーム・ロケーション・レジスタ識別リストを含み得る。加えて、前記ビジター・ロケーション・レジスタは、前記ゲートウェイ・ロケーション・レジスタ番号又は前記ホーム・ロケーション・レジスタ番号を使用して影響を受ける移動加入者を識別することができる。
【００１３】
本発明の他の特徴によれば、前記ホーム・ロケーション・レジスタからのリセット・メッセージをゲートウェイ・ロケーション・レジスタが受信し、前記リセット・メッセージは、ホーム・ロケーション・レジスタ番号を含む。前記ホーム・ロケーション・レジスタに関連する移動加入者は、前記移動加入者に関連するレコードに記憶した移動加入者認識の地域コード及び宛先国コードと、前記ホーム・ロケーション・レジスタ番号の地域コード及び宛先国コードとを比較することにより、判断される。代替として、前記ホーム・ロケーション・レジスタに関連する移動加入者は、前記リセット・メッセージにおいて受信した前記ホーム・ロケーション・レジスタ番号と、前記ゲートウェイ・ロケーション・レジスタにおける移動加入者レコードに記憶されたホーム・ロケーション・レジスタ番号とを比較することにより、判断されてもよい。
【００１４】
本発明のこの特徴によれば、前記ゲートウェイ・ロケーション・レジスタは、前記移動加入者に現在サービスをしているビジター・ロケーション・レジスタを判断する。他のリセット・メッセージは、前記移動加入者に現在サービスをしていると判断されたビジター・ロケーション・レジスタへ送出される。更に、前記他のリセット・メッセージは、前記ビジター・ロケーション・レジスタにより受信され、また前記他のリセット・メッセージにおけるホーム・ロケーション・レジスタ識別リストが存在するか否かについて判断される。
【００１５】
ここで、添付図面を参照して本発明を説明する。
【００１６】
（詳細な説明）
以下の説明において、本発明の十分な理解が得られるように、特定シーケンスのネットワーク内及び間の信号、メッセージ形式等のような特定の詳細を限定的ではなく、説明を目的として述べる。しかしながら、これらの特定的な詳細から離れた他の実施例に本発明を実施できることは、当該技術分野に習熟する者において明らかである。他の例において、周知の方法、装置及びネットワーク構成要素の詳細な説明は、本発明の説明が不明確とならない限り省略される。
【００１７】
ここで説明する例示的な無線通信システムは、ＵＭＴＳシステムにより動作しているものとして説明されている。しかしながら、当該技術分野に習熟する者は、ネットワーク間の信号を減少させるためにゲートウェイを使用した他の移動通信システムにおいても本発明が実施可能であることを認識すべきである。
【００１８】
図５は、本発明の一実施例による例示的な方法をＨＬＲが故障の復旧処理をしているＵＭＴＳにおけるＧＬＲの動作について示す。ステップ５０５において、ＧＬＲは、ＨＬＲからＭＡＰ  ＲＥＳＥＴメッセージを受信する。判断ステップ５１０において、ＧＬＲは、ＭＡＰ  ＲＥＳＥＴメッセージにＨＬＲ  Ｉｄリストが存在するか否かを判断する。ＭＡＰ  ＲＥＳＥＴメッセージにＨＬＲ  Ｉｄリストが存在しないときは、判断ステップ５１０から「ノー」のパスに従い、ステップ５１５において、ＧＬＲは、受信したＨＬＲ番号を使用してどの移動加入者がＭＡＰ  ＲＥＳＥＴメッセージを送出したＨＬＲに関連されているかを判断する。ＧＬＲは、受信した番号と、ＧＬＲに記憶した移動加入者レコードにおけるＨＬＲ番号レコード構成要素に記憶した番号とを比較することにより、又は国際的な移動加入者の識別（Ｉｎｔｅｒｎａｔｉｏｎａｌ  Ｍｏｂｉｌｅ  Ｓｕｂｓｃｒｉｂｅｒ  Ｉｄｅｎｔｉｔｙ：ＩＭＳＩ）から導き出した地域コード（Ｃｏｕｎｔｒｙ  Ｃｏｄｅ：ＣＣ）及び宛先国コード（Ｎａｔｉｏｎａｌ  Ｄｅｓｔｉｎａｔｉｏｎ  Ｃｏｄｅ）の（ＣＣ＋ＮＤＣ）と、受信したＨＬＲ番号のＣＣ＋ＮＤＣとの一致により、どの移動加入者がＨＬＲに関連されているかを判断することができる。
【００１９】
「ＭＡＰ  ＲＥＳＥＴ」メッセージに「ＨＬＲ  Ｉｄ」リストが存在しているときは、判断ステップ５１０から「イエス」のパスに従い、ステップ５２０において、ＧＬＲは、「ＨＬＲ  Ｉｄ」リストを使用してどの移動加入者が「ＭＡＰ  ＲＥＳＥＴ」メッセージを送出したＨＬＲと関連されているかを判断する。ステップ５１５又はステップ５２０により、一旦、ＧＬＲがＭＡＰ  ＲＥＳＥＴメッセージを送出したＨＬＲに関連する移動加入者を判断すると、ステップ５２５において、ＧＬＲは、影響を受ける各移動加入者、即ち故障から復旧するＬＲに関連する各移動加入者についてＭＡＰ  ＵＰＤＡＴＥ  ＬＯＣＡＴＩＯＮメッセージをＨＬＲへ送出する。
【００２０】
図６Ａ及び６Ｂは、本発明の他の実施例による例示的な方法をＨＬＲが故障の復旧処理をしているＵＭＴＳシステムにおけるＧＬＲの動作について示す。ステップ６０５において、ＧＬＲは、ＨＬＲからＭＡＰ  ＲＥＳＥＴメッセージを受信する。ステップ６１０において、ＧＬＲは、ＭＡＰ  ＲＥＳＥＴメッセージにＨＬＲ  Ｉｄリストが存在するか否かを判断する。ＭＡＰ  ＲＥＳＥＴメッセージにＨＬＲ  Ｉｄリストが存在しないときは、判断ステップ６１０から「ノー」のパスに従い、ステップ６１５において、ＧＬＲは、受信したＨＬＲ番号を使用してどの移動加入者がＭＡＰ  ＲＥＳＥＴメッセージを送出したＨＬＲと関連されているかを判断する。ＧＬＲは、受信した番号と、ＧＬＲに記憶した移動加入者レコードにおけるＨＬＲ番号レコード構成要素に記憶した番号とを比較することにより、又はＩＭＳＩから導き出した「ＣＣ＋ＮＤＣ」と、受信したＨＬＲ番号のＣＣ＋ＮＤＣとの一致により、どの移動加入者がＨＬＲに関連されているかを判断することができる。
【００２１】
ＭＡＰ  ＲＥＳＥＴメッセージにＨＬＲ  Ｉｄリストが存在するときは、判断ステップ６１０から「イエス」のパスに従い、ステップ６２０において、ＧＬＲは、「ＨＬＲ  Ｉｄ」リストを使用してどの移動加入者が「ＭＡＰ  ＲＥＳＥＴ」メッセージを送出したＨＬＲと関連されているかを判断する。ステップ６１５又はステップ６２０において、一旦、ＧＬＲがＭＡＰ  ＲＥＳＥＴメッセージを送出したＨＬＲに関連する移動加入者を判断すると、ステップ６２５において、ＧＬＲは、ＨＬＲに関連するＧＬＲによりサービスされる各移動加入者について、ＨＬＲにおける位置情報確認済みフラグを「未確認」にセットする。ステップ６３０において、ＧＬＲは、ＨＬＲ番号の代わりに、ＨＬＲに関連する移動加入者のうちの少なくとも１移動加入者を配置した各ＶＬＲに対して、ＧＬＲを含むＭＡＰ  ＲＥＳＥＴメッセージを送出する。
【００２２】
ＭＡＰ  ＲＥＳＥＴメッセージは、ＶＬＲが影響を受ける移動加入者のうちの１移動加入者と次の認証無線コンタクトすることにより、ＧＬＲによる位置更新手順を開始させることになる。従って、ステップ６３５において、ＧＬＲは、ＭＡＰ  ＲＥＳＥＴメッセージを受信したＶＬＲからＭＡＰ  ＵＰＤＡＴＥ  ＬＯＣＡＴＩＯＮメッセージを受信する。ステップ６４０において、ＧＬＲは、ＭＡＰ  ＵＰＤＡＴＥ  ＬＯＣＡＴＩＯＮメッセージにおいて認識した移動加入者について「ＨＬＲにおいて位置情報確認済み」フラグを「未確認」にセットする。その移動加入者について「ＨＬＲにおける位置情報確認」フラグを「確認済み」にセットしたとき、即ち、判断ステップ６４０から「ノー」のパスに従い、ステップ６４５において、ＧＬＲは、通常の位置更新手順に行く、即ちＧＬＲは、「ＭＡＰ挿入加入者データ」手順を使用してＧＬＲに記憶した移動加入者レコードから加入情報を送出した後に、ＭＡＰ  ＵＰＤＡＴＥ  ＬＯＣＡＴＩＯＮの応答メッセージにより応答する。
【００２３】
各移動加入者について「ＨＬＲにおける位置情報確認」フラグが「未確認」にセットされていたときは、判断ステップ６４０からの「イエス」に従い、ステップ４５０において、ＧＬＲは、ＶＬＲから受信したＭＡＰ  ＵＰＤＡＴＥ  ＬＯＣＡＴＩＯＮメッセージにおいて認識された移動加入者についてＭＡＰ  ＵＰＤＡＴＥ  ＬＯＣＡＴＩＯＮメッセージをＨＬＲへ送出する。ＧＬＲとＨＬＲとの間の位置更新手順を完了し、かつ成功したことを確認したときは、ＧＬＲは、「ＨＬＲにおける位置情報確認済み」フラグを「確認済み」にセットする。この場合は更に、ＧＬＲは、移動加入者データ及びＭＡＰ  ＵＰＤＡＴＥ  ＬＯＣＡＴＩＯＮ応答メッセージをＶＬＲへ送出する。
【００２４】
図７Ａ及び７Ｂは、本発明の更に他の実施例による例示的な方法をＨＬＲが故障の復旧処理をしているＵＭＴＳシステムにおけるＶＬＲの動作について示す。図７Ａ及び７Ｂに示す方法は、図６Ａ及び６Ｂに関連して前述した方法と同様である。従って、図６Ａ及び６Ｂについて以上で説明したステップと同一番号を有する図７Ａ及び７Ｂにおけるステップは、図６Ａ及び６Ｂに関して以上で説明したと同一の機能を実行する。図６Ａ及び６Ｂに関連して以上で説明した方法と、図７Ａ及び７Ｂで説明した方法との間の違いは、ステップ７３０にある。ステップ７３０において、ＧＬＲは、ＨＬＲ番号を置換することなく、ＭＡＰ  ＲＥＳＥＴメッセージを各ＶＬＲへ送出し、各ＶＬＲでは、ＭＡＰ  ＲＥＳＥＴメッセージを送出したＨＬＲに関連する複数の移動加入者のうちの１移動加入者が配置されている。これに対し、ステップ６３０では、ＧＬＲは、ＨＬＲ番号をＶＬＲに送出したＭＡＰ  ＲＥＳＥＴメッセージにおけるＧＬＲ番号により置換する。図６Ａ及び６Ｂと、図７Ａ及び７Ｂとを比較すると明らかなように、ＶＬＲに送出したＭＡＰ  ＲＥＳＥＴメッセージに配置されるのがＨＬＲ番号か又はＧＬＲ番号かは、もはやＧＬＲの動作に影響することはない。しかしながら、以下で更に詳細に説明するように、ＶＬＲの動作は、ＭＡＰ  ＲＥＳＥＴメッセージに存在するのがＧＬＲ番号又はＨＬＲ番号かによる。
【００２５】
ＧＬＲがＶＬＲにサービスをしているシステムにおいて、外国ネットワーク内のＨＬＲにおける再起動を表すＭＡＰ  ＲＥＳＥＴ表示の場合に、ＶＬＲは、そのシステムに（外国の）ＨＬＲ及びＧＬＲの両者が存在するという事実に対処できなければならない。換言すれば、ＶＬＲは、再起動したＨＬＲに属する全ての移動加入者を認識できる必要があるが、しかしＭＡＰ  ＵＰＤＡＴＥ  ＬＯＣＡＴＩＯＮ手順を実行するときに、これらの手順は、丁度ＭＡＰ  ＵＰＤＡＴＥ  ＬＯＣＡＴＩＯＮ手順のように、ＧＬＲに向けられる必要がある。
【００２６】
ＧＬＲがＶＬＲにサービスをしているＵＭＴＳシステムでは、ＨＬＲからのＭＡＰ  ＲＥＳＥＴメッセージは、ＧＬＲを介してＶＬＲに送出されるので、ＶＬＲは、好ましくは、ＭＡＰ  ＲＥＳＥＴメッセージがＨＬＲ又はＧＬＲから発送されたか否か、即ちＨＬＲ又はＧＬＲが故障から復旧しているか否かを判断する必要がある。加えて、ＵＭＴＳシステムにおけるＶＬＲは、ＶＬＲを関連させているＰＬＭＮがＧＬＲを有しないときは、外国ＰＬＭＮにあるＨＬＲから直接送出されたＭＡＰ  ＲＥＳＥＴメッセージを処理できる必要がある。更に、ＶＬＲは、ＨＬＲから送出された、ＶＬＲ自身のＰＬＭＮにあるＭＡＰ  ＲＥＳＥＴメッセージを処理できる必要がある。従って、図８〜１０は、ＭＡＰ  ＲＥＳＥＴメッセージを処理する、なかんずく以上で述べた異なる状況にＶＬＲが対処できるＵＭＴＳシステムにおけるＶＬＲの例示的な動作を示す。
【００２７】
図８は、ＨＬＲが故障の復旧処理をしているＵＭＴＳシステムにおけるＶＬＲの動作について本発明の他の実施例による例示的な方法を示す。ステップ８０５において、ＶＬＲは、ＧＬＲからＭＡＰ  ＲＥＳＥＴメッセージを受信する。ステップ８１０において、ＶＬＲは、ＭＡＰ  ＲＥＳＥＴメッセージにＨＬＲ  Ｉｄリストが含まれているか否かを判断する。ＭＡＰ  ＲＥＳＥＴメッセージにＨＬＲ  Ｉｄリストが含まれているときは、判断ステップ８１０から「イエス」のパスに従い、ステップ８１５において、ＶＬＲは、ＨＬＲ  Ｉｄリストを使用して影響を受ける移動加入者を導き出す。次いで、ステップ８３５において、ＶＬＲは、影響を受ける各移動加入者について「ＨＬＲにおける位置情報確認済み」フラグを「未確認」にセットする。ステップ８４０において、ＶＬＲは、技術標準ＧＳＭ０９．０２において指定されている通常のＶＬＲ動作に従い、ここでは引用により明確に組み込まれる。移動加入者の現在のＶＰＬＭＮにおけるＧＬＲを含むＵＭＴＳシステムの場合に、技術標準ＧＳＭ０９．０２において指定されているＶＬＲ動作は、ＶＬＲが概要的に、影響を受ける移動加入者と認証された無線コンタクトを待機し、次いでＧＬＲを介してＨＬＲにより位置更新手順を開始することである。
【００２８】
ＭＡＰ  ＲＥＳＥＴメッセージにＨＬＲ  Ｉｄリストが含まれていないときは、判断ステップ８１０から「ノー」のパスに従い、ステップ８２０において、ＶＬＲは、受信したＨＬＲ番号パラメータにおける番号がＶＬＲ自身のネットワークにおけるＧＬＲの番号と一致するか否かを判断する。ＧＬＲが故障の復旧処理をしているときは、ＭＡＰ  ＲＥＳＥＴメッセージのＨＬＲ番号パラメータにおいて受信した番号がＧＬＲ番号と一致する。本発明の実施例によれば、ＧＬＲによりサービスされているＶＬＲは、ＶＬＲにおけるコンフィグレーション・データとして、ＧＬＲ番号をプログラムすることができる。ＧＬＲは故障の復旧処理をしているので、ＧＬＲがＭＡＰ  ＲＥＳＥＴメッセージを送出すれば、ＧＬＲによりサービスされるＶＬＲによりサービスされている全ての移動加入者は、影響を受けることになる。従って、受信したＨＬＲ番号パラメータにおける番号がＶＬＲ自身のネットワークにおけるＧＬＲの番号と一致するときは、判断ステップ８２０から「イエス」のパスに従い、ステップ８２５において、ＶＬＲは、他のネットワークから全ての訪問移動加入者に対して「ＨＬＲにおける位置確認済み」フラグを「未確認」にセットする。ステップ８４０において、ＶＬＲは、技術標準ＧＳＭ０９．０２において指定されている通常のＶＬＲ動作に従う。
【００２９】
受信したＨＬＲ番号パラメータがＶＬＲ自身のネットワークにおけるＧＬＲの番号と一致しないときは、判断ステップ８２０から「ノー」のパスに従い、ステップ８３０において、ＶＬＲは、ＨＬＲ番号を使用してＶＬＲの移動加入者レコードに記憶されたＩＭＳＩから導き出したＣＣ＋ＮＤＣと、受信したＨＬＲ番号のＣＣ＋ＮＤＣとの一致により、影響を受けた移動加入者を導き出す。
【００３０】
ＶＬＲがＧＬＲによりサポートされているＰＬＭＮでは、ＧＬＲのないネットワークにおける移動加入者に関連されたＨＬＲに対してアドレス指定するメッセージは、ＧＬＲに対してアドレス指定される。次いで、ＧＬＲは、必要ならば、メッセージを特定のＨＬＲへ転送する。例えば、関係する移動加入者が既にＧＬＲに登録されているのであれば、ＭＡＰ  ＵＰＤＡＴＥ  ＬＯＣＡＴＩＯＮメッセージは、ＨＬＲに転送されない。従って、ＶＬＲがＧＬＲによりサービスされているシステムでは、ＶＬＲの移動加入者レコードに、特定の移動加入者に関連するＨＬＲのアドレスに代わって、ＧＬＲのアドレスが記憶される。従って、ＶＬＲは、記憶したＨＬＲ番号を使用して、特定のＨＬＲに関連する移動加入者を導き出すことができない。代わって、ＶＬＲは、受信したＭＡＰ  ＲＥＳＥＴメッセージにおけるＨＬＲ番号のＣＣ＋ＮＤＣと共に、移動加入者のＩＭＳＩのＣＣ＋ＮＤＣを使用して、ＶＬＲに関連する移動加入者を導き出す。
ステップ８５５において、ＶＬＲは、影響を受ける各移動加入者について「ＨＬＲにおける位置情報確認済み」フラグを「未確認」にセットする。ステップ８４０において、ＶＬＲは、技術標準ＧＳＭ０９．０２において指定されている通常のＶＬＲ動作に従う。
【００３１】
図９は、本発明の他の実施例による例示的な方法をＨＬＲが故障の復旧処理をしているＵＭＴＳシステムにおけるＶＬＲの動作について示す。本発明のこの実施例によれば、ＧＬＲは、ＭＡＰ  ＲＥＳＥＴメッセージがＧＬＲから発送されることを表示し、即ちＧＬＲが故障の復旧処理をしていることを表示して、ＶＬＲにより容易に認識可能にするダミーＨＬＲ  Ｉｄリスト・パラメータを備えることができる。例えば、ダミーＨＬＲ  Ｉｄリスト・パラメータは、ゼロだけ、又はゼロのように、ＶＬＲの製造者によりプログラム可能とされる、即ちネットワーク特定のコンフィグレーションを必要としない、他の何らかのダミー・パターンからなるものでもよい。
【００３２】
従って、ステップ９０５において、ＶＬＲは、ＧＬＲからＭＡＰ  ＲＥＳＥＴメッセージを受信する。ステップ９１０において、ＶＬＲは、ＭＡＰ  ＲＥＳＥＴメッセージにＨＬＲ  Ｉｄリストが含まれているか否かを判断する。ＭＡＰ  ＲＥＳＥＴメッセージにＨＬＲ  Ｉｄリストが含まれていないときは、判断ステップ９１０から「ノー」のパスに従い、ステップ９１５において、ＶＬＲは、ＨＬＲ番号を使用してＶＬＲの移動加入者レコードに記憶されたＩＭＳＩから導き出したＣＣ＋ＮＤＣと、受信したＨＬＲ番号のＣＣ＋ＮＤＣとの一致により、影響を受けた移動加入者を導き出す。ステップ９３５に従って、ＶＬＲは、影響を受ける各移動加入者に対して「ＨＬＲにおける位置確認済み」フラグを「未確認」にセットする。ステップ９４０において、ＶＬＲは、技術標準ＧＳＭ０９．０２において指定されている通常のＶＬＲ動作に従う。
【００３３】
ＭＡＰ  ＲＥＳＥＴメッセージにＨＬＲ  Ｉｄリストが含まれていることをＶＬＲが判断したときは、判断ステップ９１０から「イエス」のパスに従い、ステップ９２０において、ＶＬＲは、ＨＬＲ  ＩｄリストがダミーＨＬＲ  Ｉｄリストであるか否かを判断する。ダミーＨＬＲ  Ｉｄリストは、故障の復旧処理をしているＧＬＲからＭＡＰ  ＲＥＳＥＴメッセージが発送されていることを示しているので、ＶＬＲによりサービスされている全ての移動加入者が影響を受ける加入者となる。従って、ＨＬＲ  ＩｄリストはダミーＨＬＲ  ＩｄリストであるとＶＬＲが判断すると、判断ステップ９２０から「イエス」のパスに従い、ステップ９３０において、ＶＬＲは、他のネットワークからの全ての訪問移動加入者に対して「ＨＬＲにおける位置確認済み」フラグを「未確認」にセットする。ステップ９４０において、ＶＬＲは、技術標準ＧＳＭ０９．０２において指定されている通常のＶＬＲ動作に従う。
【００３４】
ＨＬＲ  ＩｄリストがダミーＨＬＲ  ＩｄリストでないとＶＬＲが判断したときは、ステップ９２０から「ノー」のパスに従い、ステップ９２５において、ＶＬＲは、ＨＬＲ  Ｉｄリストを使用して影響を受ける移動加入者を導き出す。ステップ９３５において、ＶＬＲは、影響を受けた各移動加入者に対して「ＨＬＲにおける位置情報確認済み」フラグを「未確認」にセットする。ステップ９４０において、ＶＬＲは、技術標準ＧＳＭ０９．０２において指定されている通常のＶＬＲ動作に従う。
【００３５】
本発明の更に他の実施例による例示的な方法をＨＬＲが故障の復旧処理をしているＵＭＴＳシステムにおけるＶＬＲの動作について示す。ステップ１００５において、ＶＬＲは、ＧＬＲからＭＡＰ  ＲＥＳＥＴメッセージを受信する。ステップ１０１０において、ＶＬＲは、ＭＡＰ  ＲＥＳＥＴメッセージにＨＬＲ  Ｉｄリストが含まれているか否かを判断する。ＭＡＰ  ＲＥＳＥＴメッセージにＨＬＲ  Ｉｄリストが存在するときは、判断ステップ１０１０から「イエス」のパスに従い、ステップ１０１５において、ＶＬＲは、ＨＬＲ  Ｉｄリストを使用して影響を受ける移動加入者を導き出す。ステップ１０３５において、ＶＬＲは、影響を受ける各移動加入者について「ＨＬＲにおける位置確認済み」フラグを「未確認」にセットする。ステップ１０４０において、ＶＬＲは、技術標準ＧＳＭ０９．０２において指定されている通常のＶＬＲ動作に従う。
【００３６】
ＭＡＰ  ＲＥＳＥＴメッセージにＨＬＲ  Ｉｄリストが存在しないときは、判断ステップ１０１０から「ノー」のパスに従い、ステップ１０２０において、ＶＬＲは、ＨＬＲ番号パラメータにおいて受信した番号を使用して、受信した番号と、ＶＬＲに記憶した移動加入者レコードにおけるＨＬＲ番号構成要素に記憶している番号との一致により、影響を受ける移動加入者を導き出す。ステップ１０２５において、ＶＬＲは、ＭＡＰ  ＲＥＳＥＴメッセージにおけるＨＬＲ番号パラメータと、ＶＬＲにおける移動加入者レコードに記憶されたＨＬＲ番号レコードとの間で一致が見出されるか否かを判断する。ＭＡＰ  ＲＥＳＥＴメッセージにおけるＨＬＲ番号パラメータと、ＶＬＲにおける移動加入者レコードのうちの少なくとも１レコードに記憶されたＨＬＲ番号レコードとの間で一致が存在するとＶＬＲが判断すると、判断ステップ１０２５から「イエス」のパスに従い、ステップ１０３５において、ＶＬＲは、影響を受ける各移動加入者について「ＨＬＲにおける位置確認済み」フラグを「未確認」にセットする。ステップ１０４０において、ＶＬＲは、技術標準ＧＳＭ０９．０２において指定されている通常のＶＬＲ動作に従う。
【００３７】
ＭＡＰ  ＲＥＳＥＴメッセージにおけるＨＬＲ番号パラメータと、ＶＬＲにおける移動加入者レコードのうちの任意の１レコードに記憶されたＨＬＲ番号レコードとの間で一致が存在しないとＶＬＲが判断すると、判断ステップ１０２５から「ノー」のパスに従い、ステップ１０３０において、ＶＬＲは、ＨＬＲ番号パラメータを使用して、ＩＭＳＩから導き出したＣＣ＋ＮＤＣと、受信したＨＬＲ番号パラメータのＣＣ＋ＮＤＣとの一致により、影響を受けた移動加入者を導き出す。ステップ１０３５において、ＶＬＲは、影響を受ける各移動加入者について「ＨＬＲにおける位置確認済み」フラグを「未確認」にセットする。ステップ１０４０において、ＶＬＲは、技術標準ＧＳＭ０９．０２において指定されている通常のＶＬＲ動作に従う。
【００３８】
以上で説明した本発明の実施例は、ＧＳＭ  ＭＡＰ仕様に違反することなく、ＧＬＲ及びＶＬＲを含むシステムがＨＬＲの復旧状況について処理できるようにする。メッセージ・フォーマットは、変更されておらず、またメッセージ・シーケンスは、違反していない。
【００３９】
本発明は、その発明を限定しない実施例により、説明された。他の実施例も勿論可能である。例えば、一実施例において、ＶＬＲ動作は、技術標準ＧＳＭ０９．０２において指定されているＶＬＲ動作に厳密に従うようにされてもよい。更に、当該技術分野に習熟する者は、ここで開示した方法が更にＧＰＲＳ移動加入者にサービスをする一般パケット無線サービス（ｇｅｎｅｒｉｃ  ｐａｃｋｅｔ  ｒａｄｉｏ  ｓｅｒｖｉｃｅ：ＧＰＲＳ）を含むＵＭＴＳシステムにも適用可能であることを認識すべきである。他の変形及び変更は、添付する特許請求の範囲において定義されている本発明の精神及び範囲から逸脱することなく、当該技術分野に習熟する者にとって明らかである。
【図面の簡単な説明】
【図１】  通常のＧＳＭシステムを示す。
【図２】  通常のＰＤＣシステム示す。
【図３】  ＧＬＲを含むシステムにおけるＵＭＴＳシステムの関係を示す。
【図４】  ＨＬＲが故障の復旧処理をしているときのＧＳＭシステムにおける通常の方法を示す。
【図５】  本発明の一実施例による例示的な方法をＨＬＲが故障の復旧処理をしているＵＭＴＳシステムにおけるＧＬＲの動作について示す。
【図６Ａ】  本発明の他の実施例による例示的な方法をＨＬＲが故障の復旧処理をしているＵＭＴＳシステムにおけるＧＬＲの動作について示す。
【図６Ｂ】  本発明の他の実施例による例示的な方法をＨＬＲが故障の復旧処理をしているＵＭＴＳシステムにおけるＧＬＲの動作について示す。
【図７Ａ】  本発明の更に他の実施例による例示的な方法をＨＬＲが故障の復旧処理をしているＵＭＴＳシステムにおけるＧＬＲの動作について示す。
【図７Ｂ】  本発明の更に他の実施例による例示的な方法をＨＬＲが故障の復旧処理をしているＵＭＴＳシステムにおけるＧＬＲの動作について示す。
【図８】  本発明の他の実施例による例示的な方法をＨＬＲが故障の復旧処理をしているＵＭＴＳシステムにおけるＶＬＲの動作について示す。
【図９】  本発明の他の実施例による例示的な方法をＨＬＲが故障の復旧処理をしているＵＭＴＳシステムにおけるＶＬＲの動作について示す。
【図１０】  本発明の更に他の実施例による例示的な方法をＨＬＲが故障の復旧処理をしているＵＭＴＳシステムにおけるＶＬＲの動作について示す。
【図１】
0004441153.tif 000002
【図２】
0004441153.tif 000003
【図３】
0004441153.tif 000004
【図４】
0004441153.tif 000005
【図５】
0004441153.tif 000006
【図６Ａ】
0004441153.tif 000007
【図６Ｂ】
0004441153.tif 000008
【図７Ａ】
0004441153.tif 000009
【図７Ｂ】
0004441153.tif 000010
【図８】
0004441153.tif 000011
【図９】
0004441153.tif 000012
【図１０】
0004441153.tif 000013